(57)【要約】【課題】吸水・即乾性、マイナスイオンなどによる健康増進作用をはじめ、防ダニ・抗菌・防臭などの諸効果が得られ、快適な室内居住空間の創出に役立つ多機能繊維シートを提供する。【解決手段】多機能繊維シート１の天然ミネラル成分繊維層４は表生地３の裏側に設けられ、遠赤外線性の防ダニ・抗菌・防臭繊維層５は、天然ミネラル成分繊維層４の下に設けられている。防水加工繊維層６は防ダニ・抗菌・防臭繊維層５の下に設けられ、防ダニ・抗菌・防臭繊維層５および天然ミネラル成分繊維層４とともに超音波融着により接合されている。これにより、マイナスイオンなどによる健康増進の便宜が得られ、防ダニ・抗菌・防臭繊維層５および防水加工繊維層６から得られる防ダニ・抗菌・防臭および防水の諸効果により室内居住空間の快適性に資する。【選択図】図１
0003110047.tif 000002
【実用新案登録請求の範囲】
【請求項１】
表生地の裏側にミネラル鉱石繊維質を含むように設けられた天然ミネラル成分繊維層と、
この天然ミネラル成分繊維層の下に設けられた遠赤外線性の防ダニ・抗菌・防臭繊維層と、
この遠赤外線性の防ダニ・抗菌・防臭繊維層の下に設けられた防水加工繊維層とからなり、
前記天然ミネラル成分繊維層、前記防ダニ・抗菌・防臭繊維層および前記防水加工繊維層を超音波融着によりスポット状に接合してなる多機能繊維シート。
【請求項２】
表生地の裏側に設けられ、下方に向かって粗から密になるように漸増する傾斜繊維密度を有する吸水・速乾性繊維層と、
この吸水・速乾性繊維層の下に設けられた遠赤外線性の防ダニ・抗菌・防臭繊維層と、  この遠赤外線性の防ダニ・抗菌・防臭繊維層の下に設けられた防水加工繊維層とからなり、
前記吸水・速乾性繊維層、前記防ダニ・抗菌・防臭繊維層および前記防水加工繊維層を超音波融着によりスポット状に接合してなる多機能繊維シート。
【請求項３】
表生地の裏側にミネラル鉱石繊維質を含むように設けられた天然ミネラル成分繊維層と、
この天然ミネラル成分繊維層の下に設けられた遠赤外線性の防ダニ・抗菌・防臭繊維層と、
この遠赤外線性の防ダニ・抗菌・防臭繊維層の下に設けられて裏生地として機能する滑り止め繊維層とからなり、
前記天然ミネラル成分繊維層、前記防ダニ・抗菌・防臭繊維層および前記滑り止め繊維層を超音波融着によりスポット状に接合してなる多機能繊維シート。
【請求項４】
表生地の裏側に設けられ、下方に向かって粗から密になるように漸増する傾斜繊維密度を有する吸水・速乾性繊維層と、
この吸水・速乾性繊維層の下に設けられた遠赤外線性の防ダニ・抗菌・防臭繊維層と、  この遠赤外線性の防ダニ・抗菌・防臭繊維層の下に設けられて裏生地として機能する滑り止め繊維層とからなり、
前記吸水・速乾性繊維層、前記防ダニ・抗菌・防臭繊維層および前記滑り止め繊維層を超音波融着によりスポット状に接合してなる多機能繊維シート。
【請求項５】
表生地の裏側に設けられ、下方に向かって粗から密になるように漸増する傾斜繊維密度を有する吸水・速乾性繊維層と、
この吸水・速乾性繊維層の下に設けられた遠赤外線性の防ダニ・抗菌・防臭繊維層と、  この遠赤外線性の防ダニ・抗菌・防臭繊維層の下に設けられた防水加工繊維層と、
この防水加工繊維層の下に設けられて裏生地として機能する滑り止め繊維層とからなり、
前記吸水・速乾性繊維層、前記防ダニ・抗菌・防臭繊維層、前記防水加工繊維層および前記滑り止め繊維層を超音波融着によりスポット状に接合してなる多機能繊維シート。
【請求項６】
表生地の裏側にミネラル鉱石繊維質を含むように設けられた天然ミネラル成分繊維層と、
この天然ミネラル成分繊維層の下に設けられた遠赤外線性の防ダニ・抗菌・防臭繊維層と、
この遠赤外線性の防ダニ・抗菌・防臭繊維層の下に設けられた防水加工繊維層と、
この防水加工繊維層の下に設けられて裏生地として機能する滑り止め繊維層とからなり、
前記天然ミネラル成分繊維層、前記防ダニ・抗菌・防臭繊維層、前記防水加工繊維層および前記滑り止め繊維層を超音波融着によりスポット状に接合してなる多機能繊維シート。
【請求項７】
表生地の裏側に設けられ、下方に向かって粗から密になるように漸増する傾斜繊維密度を有する吸水・速乾性繊維層と、
この吸水・速乾性繊維層の下に設けられ、ミネラル鉱石繊維質を含む天然ミネラル成分繊維層と、
この天然ミネラル成分繊維層の下に設けられた遠赤外線性の防ダニ・抗菌・防臭繊維層と、
この遠赤外線性の防ダニ・抗菌・防臭繊維層の下に設けられた防水加工繊維層とからなり、
前記吸水・速乾性繊維層、前記天然ミネラル成分繊維層、前記防ダニ・抗菌・防臭繊維層および前記防水加工繊維層を超音波融着によりスポット状に接合してなる多機能繊維シート。
【請求項８】
表生地の裏側に設けられ、下方に向かって粗から密になるように漸増する傾斜繊維密度を有する吸水・速乾性繊維層と、
この吸水・速乾性繊維層の下に設けられ、ミネラル鉱石繊維質を含む天然ミネラル成分繊維層と、
この天然ミネラル成分繊維層の下に設けられた遠赤外線性の防ダニ・抗菌・防臭繊維層と、
この防ダニ・抗菌・防臭繊維層の下に設けられた防水加工繊維層と、
この防水加工繊維層の下に設けられて裏生地として機能する滑り止め繊維層とからなり、
前記吸水・速乾性繊維層、前記天然ミネラル成分繊維層、前記防ダニ・抗菌・防臭繊維層、前記防水加工繊維層および前記滑り止め繊維層を超音波融着によりスポット状に接合してなる多機能繊維シート。
【考案の詳細な説明】
【技術分野】
【０００１】
本考案は、フローリング部屋、畳み部屋、こたつ、玄関、ペット、あるいはソファーやベッド用の敷物として広範囲にわたって使用する多機能繊維シートに係り、とりわけ単一のシート布地で各種の用途に対処することができる多機能繊維シートに関する。
【背景技術】
【０００２】
装飾性に富む繊維シート材は、現代生活に不可欠な日用品としてフローリング部屋、畳み部屋、ペット用の敷物あるいは寝具カバーなどに生かされて部屋の内装品に広く用いられている。なかでも、快適な居住生活の実現化のため、通気性および消臭性を有する不織布を織り込むことにより消臭シートを縫製して暖簾、カーテン、壁掛けなどのインテリア用品の素材に適用したものがある（例えば、特許文献１参照）。
【特許文献１】実用新案登録第３１０２０２３号公報
【考案の開示】
【考案が解決しようとする課題】
【０００３】
この消臭シートは、通気性シートに設けた消臭性の不織布をシート基材に超音波キルト加工により溶着したものである。消臭性の不織布に対して通気性および比較的大きな表面積が確保されるので、室内の装飾性に加えて、シーツなどの寝装品について優れた消臭効果が得られる。
【０００４】
しかしながら、生活環境が複雑化した現代では、室内居住空間の快適性は、消臭性効果では十分ではなく、吸水・速乾性、マイナスイオンなどによる健康増進作用をはじめ、防ダニ・抗菌・防臭などの諸要素が付加されて初めて備わるものである。このため、特許文献１の消臭シートでは、現代の快適な室内居住空間を確保するには十分でなく、前述の諸要素を備えたものの登場が望まれていた。
【０００５】
本考案は、上記の事情を背景としてなされ、その目的は単一のシート繊維を用いるだけで、吸水・速乾性、マイナスイオンなどによる健康増進作用をはじめ、防ダニ・抗菌・防臭などの諸効果が得られ、現代に見合った快適な室内居住空間の創出に資する多機能繊維シートを提供することにある。
【課題を解決するための手段】
【０００６】
（請求項１について）
請求項１では、ミネラル鉱石繊維質を含む天然ミネラル成分繊維層は表生地の裏側に設けられ、遠赤外線性の防ダニ・抗菌・防臭繊維層は、天然ミネラル成分繊維層の下に設けられている。防水加工繊維層は、遠赤外線性の防ダニ・抗菌・防臭繊維層の下に設けられ、防ダニ・抗菌・防臭繊維層および天然ミネラル成分繊維層とともに超音波融着によりスポット状に接合されている。
このため、単一のシート繊維を用いるだけで、天然ミネラル成分繊維層からマイナスイオンなどによる健康増進作用が得られ、防ダニ・抗菌・防臭繊維層から防ダニ・抗菌・防臭の効果、ならびに防水加工繊維層から防水の効果が得られて現代に見合った快適な室内居住空間の創出に寄与することができる。
【０００７】
（請求項２について）
請求項２における吸水・速乾性繊維層は、表生地の裏側に設けられて下方に向かって粗から密になるように漸増する傾斜繊維密度を有する。遠赤外線性の防ダニ・抗菌・防臭繊維層は、吸水・速乾性繊維層の下に設けられている。防水加工繊維層は、防ダニ・抗菌・防臭繊維層の下に設けられている。これら吸水・速乾性繊維層、防ダニ・抗菌・防臭繊維層および防水加工繊維層は超音波融着によりスポット状に接合されている。
このため、単一のシート繊維を用いるだけで、吸水・速乾性繊維層から優れた吸水・速乾性が得られ、防ダニ・抗菌・防臭繊維層から防ダニ・抗菌・防臭の効果、ならびに防水加工繊維層から防水の効果が得られて現代に見合った快適な室内居住空間の創出に寄与することができる。
【０００８】
（請求項３について）
請求項３における天然ミネラル成分繊維層は、表生地の裏側にミネラル鉱石繊維質を含むように設けられている。遠赤外線性の防ダニ・抗菌・防臭繊維層は、天然ミネラル成分繊維層の下に設けられ、防ダニ・抗菌・防臭繊維層の下には、滑り止め繊維層が裏生地として設けられている。これら天然ミネラル成分繊維層、防ダニ・抗菌・防臭繊維層および滑り止め繊維層は超音波融着によりスポット状に接合されている。
このため、単一のシート繊維を用いるだけで、天然ミネラル成分繊維層からマイナスイオンなどによる健康増進作用が得られ、防ダニ・抗菌・防臭繊維層から防ダニ・抗菌・防臭の効果、ならびに滑り止め繊維層から滑り止めの効果が得られて現代に見合った快適な室内居住空間の創出に寄与することができる。
【０００９】
（請求項４について）
請求項４における吸水・速乾性繊維層は、表生地の裏側に設けられて下方に向かって粗から密になるように漸増する傾斜繊維密度を有する。遠赤外線性の防ダニ・抗菌・防臭繊維層は、吸水・速乾性繊維層の下に設けられている。滑り止め繊維層は、防ダニ・抗菌・防臭繊維層の下に設けられて裏生地として機能する。これら吸水・速乾性繊維層、防ダニ・抗菌・防臭繊維層および滑り止め繊維層は超音波融着によりスポット状に接合されている。
このため、単一のシート繊維を用いるだけで、吸水・速乾性繊維層から優れた吸水・速乾性が得られ、防ダニ・抗菌・防臭繊維層から防ダニ・抗菌・防臭の効果、ならびに滑り止め繊維層から滑り止めの効果が得られて現代に見合った快適な室内居住空間の創出に寄与することができる。
【００１０】
（請求項５について）
請求項５における吸水・速乾性繊維層は、表生地の裏側に設けられて下方に向かって粗から密になるように漸増する傾斜繊維密度を有している。遠赤外線性の防ダニ・抗菌・防臭繊維層は、吸水・速乾性繊維層の下に設けられている。防ダニ・抗菌・防臭繊維層の下には、防水加工繊維層が設けられている。滑り止め繊維層は、防水加工繊維層の下に設けられて裏生地として機能する。これら吸水・速乾性繊維層、防ダニ・抗菌・防臭繊維層、防水加工繊維層および滑り止め繊維層は超音波融着によりスポット状に接合されている。  このため、単一のシート繊維を用いるだけで、吸水・速乾性繊維層から優れた吸水・速乾性が得られ、防ダニ・抗菌・防臭繊維層から防ダニ・抗菌・防臭の効果、防水加工繊維層から防水の効果、ならびに滑り止め繊維層から滑り止めの効果が得られて現代に見合った快適な室内居住空間の創出に寄与することができる。
【００１１】
（請求項６について）
請求項６では、ミネラル鉱石繊維質を含む天然ミネラル成分繊維層は表生地の裏側に設けられ、遠赤外線性の防ダニ・抗菌・防臭繊維層が天然ミネラル成分繊維層の下に設けられている。防水加工繊維層は遠赤外線性の防ダニ・抗菌・防臭繊維層の下に設けられ、滑り止め繊維層は防水加工繊維層の下に設けられて裏生地として機能する。天然ミネラル成分繊維層、防ダニ・抗菌・防臭繊維層、防水加工繊維層および滑り止め繊維層は超音波融着によりスポット状に接合されている。
このため、単一のシート繊維を用いるだけで、天然ミネラル成分繊維層からマイナスイオンなどによる健康増進作用が得られ、防ダニ・抗菌・防臭繊維層から防ダニ・抗菌・防臭の効果、防水加工繊維層から防水の効果、ならびに滑り止め繊維層から滑り止めの効果が得られて現代に見合った快適な室内居住空間の創出に寄与することができる。
【００１２】
（請求項７について）
請求項７における吸水・速乾性繊維層は、表生地の裏側に設けられて下方に向かって粗から密になるように漸増する傾斜繊維密度を有する。ミネラル鉱石繊維質を含む天然ミネラル成分繊維層は吸水・速乾性繊維層の下に設けられ、遠赤外線性の防ダニ・抗菌・防臭繊維層が天然ミネラル成分繊維層の下に設けられている。防水加工繊維層は防ダニ・抗菌・防臭繊維層の下に設けられている。吸水・速乾性繊維層、天然ミネラル成分繊維層、防ダニ・抗菌・防臭繊維層、防水加工繊維層は超音波融着によりスポット状に接合されている。
このため、単一のシート繊維を用いるだけで、吸水・速乾性繊維層から優れた吸水・速乾性が得られ、天然ミネラル成分繊維層からマイナスイオンなどによる健康増進作用が得られ、防ダニ・抗菌・防臭繊維層から防ダニ・抗菌・防臭の効果、防水加工繊維層から防水の効果が得られて現代に見合った快適な室内居住空間の創出に寄与することができる。  
【００１３】
（請求項８について）
請求項８における吸水・速乾性繊維層は、表生地の裏側に設けられて下方に向かって粗から密になるように漸増する傾斜繊維密度を有する。ミネラル鉱石繊維質を含む天然ミネラル成分繊維層が吸水・速乾性繊維層の下に設けられ、遠赤外線性の防ダニ・抗菌・防臭繊維層が天然ミネラル成分繊維層の下に設けられている。防水加工繊維層は防ダニ・抗菌・防臭繊維層の下に設けられ、滑り止め繊維層は防水加工繊維層の下に設けられて裏生地として機能する。吸水・速乾性繊維層、天然ミネラル成分繊維層、防ダニ・抗菌・防臭繊維層、防水加工繊維層および滑り止め繊維層は超音波融着によりスポット状に接合されている。
このため、単一のシート繊維を用いるだけで、吸水・速乾性繊維層から優れた吸水・速乾性が得られ、天然ミネラル成分繊維層からマイナスイオンなどによる健康増進作用が得られる。また、防ダニ・抗菌・防臭繊維層から防ダニ・抗菌・防臭の効果、防水加工繊維層から防水の効果、ならびに滑り止め繊維層から滑り止めの効果が得られて現代に見合った快適な室内居住空間の創出に寄与することができる。
【考案を実施するための最良の形態】
【００１４】
ミネラル鉱石繊維質を含む天然ミネラル成分繊維層は表生地の裏側に設けられ、遠赤外線性の防ダニ・抗菌・防臭繊維層は、天然ミネラル成分繊維層の下に設けられている。防水加工繊維層は防ダニ・抗菌・防臭繊維層の下に設けられ、防ダニ・抗菌・防臭繊維層および天然ミネラル成分繊維層とともに超音波融着によりスポット状に接合されている。天然ミネラル成分繊維層からマイナスイオンなどによる健康増進の便宜が得られ、防ダニ・抗菌・防臭繊維層および防水加工繊維層から得られる防ダニ・抗菌・防臭および防水の諸効果により快適な室内居住空間の創出に貢献することができる。
【実施例１】
【００１５】
本考案の実施例１を図１に基づいて説明する。
本考案に係る多機能繊維シート１は、フローリング部屋、畳み部屋、ペット用の敷物あるいは寝具カバーなどといった部屋の内装品として適用されており、多機能繊維シート１の吸水・速乾性繊維層２は、図１の（ａ）、（ｂ）に示すように表生地３の裏側に設けられ、下方に向かって粗から密になるように漸増する傾斜繊維密度を有している。
【００１６】
ミネラル鉱石繊維質を含む天然ミネラル成分繊維層４は、吸水・速乾性繊維層２の下に設けられている。遠赤外線性の防ダニ・抗菌・防臭繊維層５は、天然ミネラル成分繊維層４の下に設けられている。防水加工繊維層６は、防ダニ・抗菌・防臭繊維層５の下に設けられ、防水加工繊維層６の下には、裏生地として機能する滑り止め繊維層７が付設されている。
【００１７】
これら吸水・速乾性繊維層２、天然ミネラル成分繊維層４、防ダニ・抗菌・防臭繊維層５、防水加工繊維層６および滑り止め繊維層７は、上下に複数の層をなすように積み重ねられ、超音波融着（ソニックキルト）により所定のキルトパターンに基づき、スポット状に接合されて単一のシート布地を形成している。
超音波融着は、超音波振動により生じる摩擦熱で素材どおしを相互に接着する加工技術であり、縫い針により素材に貫通孔を開けるものと異なり、縫い糸を使用していないため、糸切れや糸のほつれがないものである。
【００１８】
多機能繊維シート１の吸水・速乾性繊維層２は、ポリエステル繊維などを積み重ねた多層構造をなし、毛細管現象により水分を素早く吸収して広範囲に拡散させる。素早い水分吸収により、表生地３の表面がべとつかず風合いが良く、肌に触れても冷感を生じることがない。また、広範囲にわたる水分拡散により、迅速な水分乾燥が得られるため、表生地３が肌に触れても不快感を生じることがない。
【００１９】
天然ミネラル成分繊維層４は、ミネラル鉱石を採取・精製してレイヨン、綿、ポリエステル繊維との混紡とし、マイナスイオン作用により周囲に森林浴と似た環境を現出させて健康回復や健康増進の便宜を図る。
【００２０】
遠赤外線性の防ダニ・抗菌・防臭繊維層５は、例えば備長炭を原料として精製した木炭繊維や防ダニ・抗菌・防臭加工（例えばメタクリル酸のグラフトなどにより）が施された不織布、テトロン（ポリエチレンテレフタレート）、ポリエステル中綿などから構成されている。防ダニ・抗菌・防臭繊維層５では、ダニ忌避効果および細菌の増殖を抑制し、不快な臭いを抑える防臭効果に加えて、木炭繊維がもたらす強力な温熱効果により冬季には暖かく、夏季には放射熱による爽やかな涼感が得られる。
また、木炭繊維には、人間が必要とするマイナスイオンやミネラルが豊富に含まれ、抗菌・脱臭作用を促進する働きがあり、安全で衛生的な環境を保つ上で必要となる優れた効能持続作用が得られる。
【００２１】
防水加工繊維層６はポリエステルやウレタンなどの化学繊維から成り、防水ラミネート加工により防ダニ・抗菌・防臭繊維層５に接合されている。防水ラミネート加工を施すにあたっては、化学繊維製（ポリエステルやウレタンなど）のフィルムラミネートと不織布を混紡した複合化学繊維を用いてもよい。
滑り止め繊維層７は、エチレンビニールアセテート（ＥＶＡ）やポリ塩化ビニール（ＰＣＶ）などといった摩擦係数の比較的大きな素材から形成され、設置面に対して滑り難くなっている。
【００２２】
上記構成において、多機能繊維シート１を、フローリング部屋、畳み部屋、ペット用の敷物あるいは寝具カバーなどといった内装品として適用した場合、吸水・速乾性繊維層２から優れた吸水・速乾性が得られ、天然ミネラル成分繊維層４からマイナスイオンなどによる健康増進作用が得られる。また、防ダニ・抗菌・防臭繊維層５から防ダニ・抗菌・防臭の効果、防水加工繊維層６から防水の効果、ならびに滑り止め繊維層７から滑り止めの効果が得られて現代に見合った快適な室内居住空間の創出に寄与することができる。
【００２３】
図２の（ａ）、（ｂ）は、多機能繊維シート１を敷布団１０のシート１１に敷いた使用例を示す。図２の（ａ）では、多機能繊維シート１をシート１１の中央部に巻き付け、図２の（ｂ）では、シート１１の左端部を除く部分に多機能繊維シート１を乗せて、使用者の肩下より足元にかけて敷くようにした態様を示す。これにより、多機能繊維シート１がシート１１の全面にわたらなくなり、シート１１の通気性を確保することができる。この場合、特に滑り止め繊維層７を裏地として最下層に用いたものでは、敷布団１０との滑りが少なくなり使い勝手がよい。
【００２４】
なお、上記実施例１では、多機能繊維シート１の構成要素として、吸水・速乾性繊維層２、天然ミネラル成分繊維層４、防ダニ・抗菌・防臭繊維層５、防水加工繊維層６および滑り止め繊維層７の５層を設けたが、吸水・速乾性繊維層２あるいは天然ミネラル成分繊維層４を省いて４層で多機能繊維シート１を構成してもよい。また、前述の５層から（天然ミネラル成分繊維層４＋滑り止め繊維層７）、（天然ミネラル成分繊維層４＋防水加工繊維層６）、（吸水・速乾性繊維層２＋滑り止め繊維層７）あるいは（吸水・速乾性繊維層２＋防水加工繊維層６）の各組を省いて３層で多機能繊維シート１を構成してもよい。さらには、前述の５層から所望の複数層を選び出して組み合わせることにより、２層、３層あるいは４層からなる多機能繊維シート１を随意に形成してもよい。
【００２５】
多機能繊維シート１は、フローリング部屋、畳み部屋やペット用の敷物などの内装品に限らず、ソファ、自動車の座席、サンシェード、カー用品、保冷バッグ、機動隊マット、ベッドパッド、失禁パッド、ローリングシーツ、アパレル素材、アパレルライニング材、電子機器、花瓶、茶瓶の敷物、あるいはカーテンやテーブルクロスなどに適用してもよく、要は快適な居住空間の創出に役立つものであればよい。
【産業上の利用可能性】
【００２６】
本考案の多機能繊維シートでは、天然ミネラル成分繊維層からマイナスイオンなどによる健康増進の便宜が得られ、防ダニ・抗菌・防臭繊維層および防水加工繊維層から得られる防ダニ・抗菌・防臭および防水の諸効果により快適な室内居住空間の創出に寄与することができる。このため、多機能繊維シートの製造に必要な化学部品や機械部品の流通の増加を通して化学・機械産業界に広く用いることができる。
【図面の簡単な説明】
【００２７】
【図１】（ａ）は一部破断して示す多機能繊維シートの斜視図で、（ｂ）は多機能繊維シートの横断面図である（実施例１）。
【図２】（ａ）、（ｂ）は多機能繊維シートの使用例を示す斜視図である。
【符号の説明】
【００２８】
１  多機能繊維シート
２  吸水・速乾性繊維層
３  表生地
４  天然ミネラル成分繊維層
５  防ダニ・抗菌・防臭繊維層
６  防水加工繊維層
７  滑り止め繊維層
【図１】
0003110047.tif 000003
【図２】
0003110047.tif 000004